Podtech/llm-jp-corpus-v4-ja_patent huggingface dataset:
(57)【要約】      （修正有）【課題】書籍やノート、筆記用具やその他の文房具などを、まとめて収納でき、かつ持ち運びができるように工夫したミニ書斎ボックスを提供する。【解決手段】ブックスタンド９の下部または両サイドに筆記用具やその他の文房具などを収納できる引出し５を設ける。また、ブックスタンド９の両サイドに、筆記用具やその他の文房具を収納できる上方が開放されたボックスを設け、これらをまとめて収納、かつ持ち運びできるようにした。【選択図】図１
2013146519.tif 000002
【特許請求の範囲】
【請求項１】
ブックスタンドの下部に、筆記用具やその他の文房具などを収納できる引き出しを設け、書籍やノート、筆記用具やその他の文房具などを、まとめて収納でき、かつ持ち運びできるように工夫した、ミニ書斎ボックス。
【請求項２】
ブックスタンドの両サイドに、筆記用具やその他の文房具などを収納できるように上方が開放された箱を設け、書籍やノート、筆記用具やその他の文房具などを、まとめて収納でき、かつ持ち運びできるように工夫した、ミニ書斎ボックス。
【発明の詳細な説明】
【技術分野】
【０００１】  本発明は、勉強や執務に必要な、書籍やノートを立てて収納するブックスタンドや筆記用具、およびその他の文房具などを入れる収納場所を、一つに組み込んで持ち運びができるように箱状にした文房具で、机上の整理に役立つと同時に、食卓の上やコタツの天板の上などを机代わりとして使用する場合、本発明をそこに持ち込み置くことにより、当該場所が直ちに書斎コーナーに変ずるように工夫した、ミニ書斎ボックスに関するものである。
【背景技術】
【０００２】  従来は、机で勉強や執務をする場合、書籍やノートなどは、ブックスダンド、またはブックエンドを用いて立てて収納するか、または机の上に平置きされ、筆記用具やその他の文房具については、専用の収納具や机の引き出しに収納されるか、または机上に平置きされていた。
また、食卓の上やコタツの天板の上などを机代わりとして使用する場合、書籍やノート、筆記用具やその他の文房具などは、食卓の上やコタツの天板の上などに置かれていた。
【先行技術文献】
【特許文献】
【０００３】  先行する技術は見あたらない。
【発明の概要】
【発明が解決しようとする課題】
【０００４】  机で勉強や執務をする場合、書籍やノート、筆記用具やその他の文房具などは、別々の収納場所に収納されるか、机の上に平置きされるため、机の上が乱雑になったり、必要なものを取り出すのに手間がかかっていた。
また、食卓の上やコタツの天板の上などを机代わりとして使用する場合、書籍やノート、筆記用具やその他の文房具などは、食卓の上やコタツの天板の上などに平置きせざるを得なかったため、そこが乱雑になり、見た目も悪かった。
また、勉強や執務の能率の低下を来すなどの問題があった。
本発明は、以上の問題を解決するものである。
【問題を解決するための手段】
【０００５】  本発明は、勉強や執務に必要な、書籍やノートを立てて収納するブックスタンドや、筆記用具、およびその他の文房具などを収納する収納場所を一つに組み込んで、持ち運びができるようにしたミニ書斎ボックスの提案であり、本発明の考え方を実施する形態としては、ブックスタンドの下部に、筆記用具やその他の文房具などを収納できる引き出しを設ける形態（上下組込型）、およびブックスタンドの両サイドに、上方が開放され筆記用具やその他の文房具などを収納できる箱を設け、書籍やノート、筆記用具やその他の文房具などをまとめて収納できるように工夫した形態（水平組込型）があり、いずれも箱状にまとめ、持ち運びができるように工夫したボックスである。
以上のように構成したミニ書斎ボックスである。
【発明の効果】
【０００６】  机で勉強や執務をする場合、本発明を机上に置いて使用することにより、机上の整理が進み、筆記用具やその他の文房具などが取り出しやすくなるので、作業能率の向上が期待できる。
また、食卓の上やコタツの天板の上などを机代わりとして使用する場合、本発明に、必要な書籍やノート、および筆記用具やその他の文房具などを収納してそこに置くことにより、当該場所が直ちに書斎コーナーに変じて、勉強や執務の能率が上がると同時に、当該場所が乱雑になるのを防ぐ効果が期待できる。
【図面の簡単な説明】
【０００７】
【図１】  上下組込型ミニ書斎ボックスの斜視図
【図２】  上下組込型ミニ書斎ボックスの平面図
【図３】  上下組込型ミニ書斎ボックスのＡ−Ａ断面図
【図４】  上下組込型ミニ書斎ボックスのＢ−Ｂ断面図
【図５】  水平組込型ミニ書斎ボックスの斜視図
【図６】  水平組込型ミニ書斎ボックスの平面図
【図７】  水平組込型ミニ書斎ボックスのＣ−Ｃ断面図
【発明を実施するための形態】
【０００８】  以下、本発明の実施の形態を説明する。
図１〜４は、上下組込型ミニ書斎ボックスの実施例１を示し、図５〜７は、水平組込型ミニ書斎ボックスの実施例２を示す。
【実施例１】
【０００９】  実施例１は、上下組込型ミニ書斎ボックスである。
平行な２枚の底板（１）の三方を、２枚の側板（２）、および背板（３）で、２枚の側板（２）の間に書籍やノートなどを立てて収容できるように、上方、および前方を開放するように囲んで、２枚の側板の間をブックスタンド（９）とし、書籍やノートなどを支持するように隔板（４）を設け、中央の隔板（４）の高さを、他の隔板（４）、側板（２）、背板（３）よりも高くし、頂部付近には、持ち運びの際の取っ手となるよう、楕円形の穴をあけ、２枚の底板（１）の間には、適宜隔板（４）を設け、筆記用具入れ（７）やその他の文房具入れ（８）として使える引き出し（５）を入れ、引き出しには、取っ手（６）を設ける。
【実施例２】
【００１０】  実施例２は、水平組込型ミニ書斎ボックスである。
一枚の底板（１）の上に、書籍やノートなどを立てて収容できるように，２枚の側板（２）、および背板（３）で、上方、および前方を開放するように三方を囲んで、２枚の側板の間をブックスタンド（９）とし、書籍やノートなどを支持するように隔板（４）を設け、当該隔板（４）の高さは、側板（２）、背板（３）よりも高くし、頂部付近には、持ち運びの際の取っ手となるよう、楕円形の穴をあけ、側板（２）の外側、および張り出した底板（１）の上部に、側板（２）を上部が開放され筆記用具やその他の文房具などを収納できるように立て回し、適宜隔板（４）を設けて、筆記用具入れ（７）やその他の文房具入れ（８）とする。
【符号の説明】
【００１１】  １  底板
２  側板
３  背板
４  隔板
５  引き出し
６  取っ手
７  筆記用具入れ
８  その他の文房具入れ
９  ブックスタンド
【図１】
2013146519.tif 000003
【図２】
2013146519.tif 000004
【図３】
2013146519.tif 000005
【図４】
2013146519.tif 000006
【図５】
2013146519.tif 000007
【図６】
2013146519.tif 000008
【図７】
2013146519.tif 000009
(57)【要約】      （修正有）【課題】日常生活の中で、ストレス・運動不足により生じる肩こり、腰痛などの改善を目的とし、継続して使用することで姿勢改善を自己管理のもとで行えるボールを提供する。【解決手段】素材がウレタンであり、サイズも小さく持ち運びが可能な利点がある。性別・体型の違いに関しては、直径１０ｃｍ幅（５ｃｍ幅の円球が二つ）、高さ６ｃｍのサイズと、直径１２ｃｍ幅（６ｃｍ幅の円球が二つ）、高さ７ｃｍのサイズの二種類を作成する。【選択図】図１
2013146518.tif 000002
【特許請求の範囲】
【請求項１】
本発明は、ウレタンを使用したストレッチボールであり、球形状のもの二つ繋がっている。ウレタンの反発性を利用し、一人で簡単に全身の筋肉のストレッチを目的として使えるものである。また、携帯出来るサイズであり、かばんに入れて移動も可能である。
【発明の詳細な説明】
【技術分野】
【０００１】本発明は、人の手を借りずにどこでも簡単に一人でストレッチを行えるものである。
【背景技術】
【０００２】素材がウレタンであり、サイズも小さく持ち運びが可能な利点がある。また、ストレッチを行う肢位も限定されず、個人の体型・体重などに対応し形状の変化が可能であり、各人の体型に合わせて使用することが可能である。ボール形状であるため、少しの移動にてストレッチする部位の変更も可能である。
【発明の概要】
【発明が解決しようとする課題】
【０００３】日常生活の中で、ストレス・運動不足により生じる肩こり、腰痛などの改善を目的とし、継続して使用することで姿勢改善を自己管理のもとで行えるようにする。
【課題を解決するための手段】
【０００４】写真付きの冊子に本発明品を使用した実際のストレッチ動作を掲載、日常生活で活用できる場面を想定し案として記載する。また、腰痛・肩こりなどの疼痛増悪が考えられる場合など禁止事項の明記も行う。
【発明の効果】
【０００５】ボール形状であるために、少しの移動でストレッチが可能である。また、身体との接地面が絞られるため、限定した筋肉に対してのストレッチが可能となる。
【図１】
2013146518.tif 000003
【図２】
2013146518.tif 000004
【手続補正書】
【提出日】平成24年3月12日(2012.3.12)
【手続補正２】
【補正対象書類名】明細書
【補正対象項目名】全文
【補正方法】変更
【補正の内容】
【発明の詳細な説明】
【技術分野】
【０００１】本発明は、人の手を借りずにどこでも簡単に一人でストレッチを行えるものである。
【背景技術】
【０００２】素材がウレタンであり、サイズも小さく持ち運びが可能な利点がある。また、ストレッチを行う肢位も限定されず、個人の体型・体重などに対応し形状の変化が可能であり、各人の体型に合わせて使用することが可能である。ボール形状であるため、少しの移動にてストレッチする部位の変更も可能である。
【発明の概要】
【発明が解決しようとする課題】
【０００３】日常生活の中で、ストレス・運動不足により生じる肩こり、腰痛などの改善を目的とし、継続して使用することで姿勢改善を自己管理のもとで行えるようにする。
【課題を解決するための手段】
【０００４】写真付きの冊子に本発明品を使用した実際のストレッチ動作を掲載、日常生活で活用できる場面を想定し案として記載する。また、腰痛・肩こりなどの疼痛増悪が考えられる場合など禁止事項の明記も行う。
【発明の効果】
【０００５】ボール形状であるために、少しの移動でストレッチが可能である。また、身体との地面が絞られるため、限定した筋肉に対してのストレッチが可能となる。
【図面の簡単な説明】
【０００６】
【図１】実際に開発した商品です。２つのウレタン性の円球がつながっているもので、１つのかたまりから円球を２つ作り出すので円球の間は離れていません。図１は体格の大きい方向けに作成しました。
【図２】実際に開発した商品です。２つのウレタン性の円球がつながっているもので、１つのかたまりから円球を２つ作り出すので円球の間は離れていません。図２は体格の小さい方向けに作成しました。
(57)【要約】      （修正有）【課題】ブロードライの際に、２本のドライヤーを一人で持ち、より多くの風を同一方向に向け髪の水分をより早く乾かすことができ、手の大きさや扱う人の器用さによらずに、２本のドライヤーを持つことができるようにするドライヤーを繋ぐ器具を提供する。【解決手段】基台部に２つの挿入部を設けたドライヤージョイントによって、各ドライヤーの風向口を挿入部の中に差し込むことにより、２本のドライヤーをジョイントさせて、持ち手だけの意識のみで同一方向に風を送ることができ、通常よりも早く髪の毛を乾かすことができる。【選択図】図３
2013146512.tif 000002
【特許請求の範囲】
【請求項１】
基台部に２つの挿入部を設けた事特徴とする連結具。
【発明の詳細な説明】
【技術分野】
【０００１】本発明は２本のドライヤーを繋ぐための器具。
【背景技術】
【０００２】従来、１本のドライヤーで髪の毛をブロードライしていた為時間がかかった。その為の改善策としてドライヤーのワットを上げ風量を強くする為の発明がなされた。
【発明の概要】
【発明が解決しようとする課題】
【０００３】ブロードライの際２本のドライヤーを一人で持ち、より多くの風を同一方向に向け髪の毛の水分をより早く乾かす事ができるが、手の大きさや扱う人の器用さによって２本のドライヤーを持つこと困難な人がいる。
【課題を解決する為の手段】
【０００４】２本のドライヤーの風向口付近に差し込み、２本のドライヤーをジョイントさせ風向からの風を持ち手だけの意識のみで同一方向に出るようにできる。
【発明の効果】
【０００５】従来２本のドライヤーで髪の毛を乾かす事が困難な人が、ドライヤージョイントを付ける事により通常よりも早く髪の毛を乾かす事ができる。
【図面の簡単な説明】
【０００６】
【図１】本発明の平面図
【図２】本発明の使用状態を示す斜視図
【発明を実施する為の形態】
【０００７】  本発明の実施形態１を図１に基づいて説明する。
（イ）基台部に２つの挿入部を設ける。
（ロ）その１つの挿入部に１つのドライヤーの先端部を差し込み、残り１つの挿入部に新たなドライヤーの先端部を差し込み毛を乾かす。
（ハ）２つの挿入部は同一方向に傾斜を有している。（図４）
（ニ）基台部の材料は、耐熱性プラスチックや耐熱性ゴムを用いる。または挿入接合部に性耐熱性コーティングをほどこしておく。
（ホ）挿入部の形状および大きさは、直径４．５ｃｍ以上４．８ｃｍ以下の円形状である。
２つの挿入部同士の間隔  直径１．０ｃｍ以上２．０ｃｍ以下（１．５ｃｍが好ましい）
基台部の厚み            直径１．０以上２．０ｃｍ以下    （１．５ｃｍが好ましい）
（ヘ）挿入部の形状は穴形状だけでなく、一部に切り欠きを有する略Ｃ字形状である（図５）。
【図１】
2013146512.tif 000003
【図２】
2013146512.tif 000004
【図３】
2013146512.tif 000005
【図４】
2013146512.tif 000006
【図５】
2013146512.tif 000007
【手続補正書】
【提出日】平成24年3月16日(2012.3.16)
【手続補正１】
【補正対象書類名】明細書
【補正対象項目名】０００６
【補正方法】変更
【補正の内容】
【０００６】
【図１】本発明の平面図
【図２】本発明の使用状態を示す斜視図
【図３】本発明の別の使用状態を示す斜視図
【図４】本発明の断面図
【図５】本発明の別の形状を示す図
(57)【要約】【課題】重度障害者を含む通勤困難者向けのＩＴを使った通勤方法を提供する。【解決手段】パーソナルコンピューターや携帯端末を使用し、ブロードバンドインターネット回線を組み合わせＩＴ（スカイプ、メッセンジャー等ビデオ、音声、文字データ等を配信できる機能以後ＩＴと記す）によりビデオ、音声、文字データ等を遠隔地にてリアルタイムに把握できるようにし勤務管理が行えるようにする。これにより、物理的には遠隔地であってもＩＴにより状態をリアルタイムに把握できるため物理的な通勤の移動を事実上なくすことできる。この通勤を行うには電子定期券（＊１）により通勤に必要な個人データ、使用期間等を管理する。重度障害者を含む通勤困難者でも在宅で勤務が可能となる。移動方法のＩＴ化である。（＊１）特定な名称をさすものではなく一番理解しやすい言葉で書いた通勤に必要な個人データ、使用期間等を電子データにて管理するものの総称とする【選択図】なし【特許請求の範囲】
【請求項１】
ＩＴによる物理的な移動をなくす通勤方法
【請求項２】
請求項１で必要になる個人データ、使用期間等を電子定期券で管理する方法
【発明の詳細な説明】
【技術分野】
【０００１】
重度障害者を含む通勤困難者の雇用支援
【背景技術】
【０００２】
通常の通勤方法では重度障害者を含む通勤困難者は通勤に健常人とほぼ同等の能力を求められ雇用困難な問題があった。
【先行技術文献】
【特許文献】
【０００３】
【特許文献１】２００７−２７１７７４
【発明の概要】
【発明が解決しようとする課題】
【０００４】
重度障害者を含む通勤困難者向けのＩＴを使った通勤方法を提供する。
【課題を解決するための手段】
【０００５】
パーソナルコンピューターや携帯端末を使用し、ブロードバンドインターネット回線を組み合わせＩＴ（スカイプ、メッセンジャー等ビデオ、音声、文字データ等を配信できる機能以後ＩＴと記す）によりビデオ、音声、文字データ等を遠隔地にてリアルタイムに把握できるようにし勤務管理が行えるようにする。
これにより、物理的には遠隔地であってもＩＴにより状態をリアルタイムに把握できるため物理的な通勤の移動を事実上なくすことできる。
この通勤を行うには電子定期券（＊１）により通勤に必要な個人データ、使用期間等を管理する。
（＊１）
特定な名称をさすものではなく一番理解しやすい言葉で書いた通勤に必要な個人データ、使用期間等を電子データにて管理するものの総称とする
【発明の効果】
【０００６】
重度障害者を含む通勤困難者が動けない状態でも勤務管理および状態管理がＩＴを通じて可能になるため
物理的な通勤方法が不要になり、在宅勤務を可能とする。
【発明を実施するための形態】
【０００７】
法人を設立しこの発案を利用し重度障害者を含む通勤困難者の雇用を行う。
【産業上の利用可能性】
【０００８】
遠隔地でも業務状態を把握できる為、遠隔地での健常人の雇用にも適用可能。
通勤費が高価な場合この発案を利用する事により通勤費の削減が行える。
(57)【要約】【課題】  検尿コップの内側にはまる大きさの枠に、外に広がった受け口を設け、尿を、受け取り、コップの外側にはコップがはまる取っ手付きの枠を設けてコップを支えることを特徴とする女性専用の検尿コップ補助具を提供する。【解決手段】  検尿コップの開口部の内側にはまる大きさの枠から外に広がった受け口を設け、検尿コップの外側には、取っ手付きの枠を設けてコップを支えることを特徴とする女性専用の検尿コップ補助具。【選択図】図３
2013178215.tif 000002
【特許請求の範囲】
【請求項１】
検尿コップの開口部の内側にはまる大きさの枠から外に広がった受け口を設けることを特徴とする女性専用の検尿コップ補助具。
【請求項２】
検尿コップの外側にはまる取っ手付きの枠を設けコップを支えることを特徴とする女性用の検尿コップ補助具。
【発明の詳細な説明】
【技術分野】
【０００１】  本発明は、女性が検尿を採取する時に、使用する検尿コップ補助具に関するものである。
【背景技術】
【０００２】  従来、検尿コップは男女同一のものを使用しているので、女性にとって多少不便であった。
また、女性専用として尿を入れやすいような漏斗をつくり、漏斗の筒の壁の外側の斜面を検尿コップの壁の内側の斜面に重ねて漏斗の上部の高さをコップより高くして、漏斗の注入口の口径を大きくした採尿漏斗の発明が知られている（特許文献１）。
【特許文献１】特開２００１−０９９８３６号公報
【発明の概要】
【発明が解決しようとする課題】
【０００３】    そのためには、次のような問題点があった。
（イ）女性は尿採取の際、局部が死角になる為、コップを近づける必要があった。
（ロ）特に子供や高齢者は、当事者のみならず第３者が尿採取する場合も難しく、手を汚したりして、不衛生であった。
本発明は以上の問題点を解決しようとするものである。
【課題を解決するための手段】
【０００４】    検尿コップの開口部の内側にはまる大きさの枠から外に広がった受け口を設けることを特徴とする女性専用の検尿コップ補助具。検尿コップの外側にはまる取っ手付きの枠を設けて、コップを支えることを特徴とする女性専用の検尿コップ補助具である。
【発明の効果】
【０００５】  本発明は、従来使用されている検尿コップを利用して、簡単に取り付け、取り外しができる。
また、コップや手を汚すことがなく、衛生的に良い。
【発明を実施するための最良の形態】
【０００６】  以下、本発明の実施の形態を説明する。
（イ）内枠（１）の上部にすり鉢状の受け口となる側面（２）を設ける。
（ロ）外枠（３）はコップの上部に沿った大きさの枠で支点は枠の両面が合った箇所で、      そこから直線に伸ばした取っ手（４）を設ける。
本発明は、以上の構成よりなっている。
本発明を使用するときは、検尿コップ（６）の開口部（５）の内側に内枠（１）を取り付ける。検尿コップの開口部（５）外側に取っ手の付いた外枠（３）を取り付けて、この取っ手を手に持って、検尿コップを使用する。
提出の時は取り外す。
【図面の簡単な説明】
【０００７】
【図１】検尿コップ開口部の内側に取り付ける内枠の斜視図
【図２】検尿コップ開口部の外側に取り付ける外枠の斜視図
【図３】本発明の使用状態を示す斜視図
【符号の説明】
【０００８】  １  内枠
２  受け口
３  外枠
４  取っ手
５  検尿コップの開口部
６  検尿コップ
【図１】
2013178215.tif 000003
【図２】
2013178215.tif 000004
【図３】
2013178215.tif 000005
(57)【要約】【課題】  従来の発明は、施設内栽培作物の光合成促進のためにＣＯ２センサのみを用いてＣＯ２を施用していた。施設の温度、換気量と関係なく設定値以下をセンサが感知するとＣＯ２の施用を始める。温度の上昇と共に施設の換気量が大きくなればなるほど濃度勾配による物質拡散の影響で施用したＣＯ２が施設外流出するため、施設内の高濃度ＣＯ２環境が困難であった。また、ＣＯ２施用の無駄も出ると共に環境にも良くない。【解決の手段】  新たに用いた温度センサが温度から施設の換気量を判断し、換気量の小さいときにＣＯ２を施用できるため高濃度環境が可能。また、ＣＯ２センサのみによる施設内のＣＯ２濃度の影響を受けず、濃度勾配による物質拡散の影響を受けにくいため、施用の無駄も減り、環境に優しく、最適環境条件下でＣＯ２施用ができるので、純光合成速度を高め生育促進に最適な生育環境が可能である。【選択図】図１
2013135657.tif 000002
【特許請求の範囲】
【請求項１】
園芸用施設内のＣＯ２濃度をＣＯ２センサと新たに設けた温度センサの両センサを用いて、ＣＯ２濃度を制御することで、栽培作物の光合成促進に最適な、幅広い濃度のＣＯ２施用が行えると共に高濃度ＣＯ２環境が可能なＣＯ２濃度制御装置
【発明の詳細な説明】
【技術分野】
【０００１】  本発明は、園芸用施設内をＣＯ２センサと温度センサを用いてＣＯ２濃度を制御するためのＣＯ２濃度制御装置に関する。
【背景技術】
【０００２】  従来のＣＯ２施用は、栽培作物の光合成促進になるようＣＯ２センサのみで施用制御していたが、高濃度施用ができるように新たに温度センサを設けたＣＯ２濃度制御装置に関する。
【先行技術文献】
【非特許文献１】
【０００３】異なる光強度化におけるキュウリの純光合成速度に及ぼすＣＯ２濃度の影響、伊東、１９８０より改変
【非特許文献２】
【０００４】現代農業２０１０年１０月号、「オランダのトマト１００ｔどりの秘密」各温度、湿度における飽差
【非特許文献３】
【０００５】施設園芸における環境調節  ＴＭＳ研究  ２００９（１）、１０−２１、２００９−１２、北宅善昭（大阪大学大学院生命環境科学研究科）
【発明の概要】
【発明が解決しようとする課題】
【０００６】  従来の発明は、施設内栽培作物の光合成促進のためにＣＯ２センサのみを用いて施用していた。施設の温度、換気量に関係なく設定値以下を感知するとＣＯ２の施用を始め、温度の上昇と共に施設の換気量が大きくなればなるほど濃度勾配による物質拡散の影響で施用したＣＯ２が温室外に流出するため施設内の高濃度ＣＯ２環境が困難である。また、ＣＯ２施用の無駄も発生すると共に環境にも良くない。
【課題を解決するための手段】
【０００７】  以上の課題を解決するために、施設の換気量を新たに用いた温度センサが感知し、ＣＯ２を施用するので現状の施設内のＣＯ２濃度の影響を受けず、施設内の温度が換気開始の設定温度より低いときに高濃度のＣＯ２施用ができ、濃度勾配による物質拡散の影響を受けにくい。また、換気による施設外の流出も防ぐことができ、施用の無駄も減り、環境にも優しく純光合成速度を高め生育促進が可能。
【発明の効果】
【０００８】  施設の換気量を新たに用いた温度センサで感知し、ＣＯ２を施用するので施設内のＣＯ２濃度の影響を受けず、高濃度も含めた幅広い施設内環境ができる。また、さまざまな作物の適したＣＯ２濃度環境が可能。【０００９】    ＣＯ２は、濃度勾配による物質拡散の影響で温室の換気による温室外大気との濃度差により温室外に流出する。この現象は、換気量が大きくなればなるほど顕著である。温度センサで換気量の少ないときを感知し、高濃度のＣＯ２を施用することで温度勾配による物質拡散の影響を抑え高濃度ＣＯ２の施設内環境ができる。また、施用を制御することで温室外の流出も極力防ぐことができ環境にも優しい。【００１０】    非特許文献１、異なる光強度下におけるキュウリの純光合成速度に及ぼすＣＯ２濃度の影響図より、一般に日射量が高く、ＣＯ２濃度が高いほど光合成速度が速くなる。同日射量であればＣＯ２が１０００ｐｐｍの場合、４００ｐｐｍ濃度時の１．７倍の光合成速度である。栽培作物による生育に最適なＣＯ２条件は異なるが、温度センサで換気状況を判断し施用することで１０００ｐｐｍの高濃度のＣＯ２環境が可能である。【００１１】    非特許文献２、各温度、湿度における飽差図より、温度２５℃であれば相対湿度が７５〜８５％の範囲が純光合成速度は最大となり、この環境条件下でＣＯ２を施用することで純光合成速度や蒸散速度を高め生育促進に最適な生育環境が与えられる。逆に施設の換気量が大きくなると濃度勾配による物質拡散の影響で温室外にＣＯ２が流出し、ＣＯ２濃度低下や施設内湿度の低下が起きる。温度で判断し制御することで作物の生育に最適な条件でＣＯ２を施用できるため温度センサによる制御は有効である。
【発明を実施するための形態】
【００１２】  以下、本発明の実施形態を図１に示す。
施設の換気窓５は、施設内の温度上昇と共に開閉が大きくなり、換気量が増す。換気の小さい状態を温度センサ２が感知し、ＣＯ２制御装置１に送られる。ＣＯ２センサの感知状況も判断し、ＣＯ２発生器４に信号が送られ発生及び停止することで、設定したＣＯ２濃度になるよう制御する。
「他の実施形態」
湿度センサを組み込み制御しても良い。
複数の温度センサを組み込み制御しても良い。
【図面の簡単な説明】
【００１３】
【図１】  本発明の説明図である。
【符号の説明】
【００１４】１  ＣＯ２制御装置
２  温度センサ
３  ＣＯ２センサ
４  ＣＯ２発生器
５  施設換気窓
【図１】
2013135657.tif 000003
(57)【要約】      （修正有）【課題】ストラップを通す為の留め具である突出した金属等の代わりに、機能的でデザイン的な留め具が付いた、オカリナを提供する。【解決手段】オカリナ側面に貫通しない程度の穴１３を開け、穴の中の直径方向に針金１４を渡しその針金にストラップを通す。【選択図】図１
2013161075.tif 000002
【特許請求の範囲】
【請求項１】
本発明は、オカリナ側面に貫通しない程度の穴を開け、穴の中の直径方向に、針金を渡すことにより、ストラップ等を通すことが出来るようにした、穴のあるオカリナである。
【請求項２】
請求項１による穴の位置は何処にでもすることが出来る。
【発明の詳細な説明】
【技術分野】
【０００１】  本発明は、オカリナストラップの留め具に関するものである。＜ＢＲ＞
【背景技術】
【０００２】  オカリナを首から提げる為の、ストラップを通す金属等は、オカリナ側面から突出したものである。また、ストラップを通す金属等が無く、オカリナを首から提げられないものもある。
【発明の概要】
【発明が解決しようとする課題】
【０００３】  ストラップを通す為の、オカリナ側面から突出した金属等は、初級者にとっては、オカリナをストラップで首から提げることにより、落下防止に役立つ、しかし、上達するにつれてオカリナを落下させにくくなり、さらにストラップが演奏する上で邪魔になってくるのでストラップを付けなくなってくる。したがって、中、上級者にとってはオカリナ側面から突出した金属等は、無くても構わない。また、デザイン的にも良いものとは成りにくい。
【課題を解決するための手段】
【０００４】  焼成前のオカリナ側面に貫通しない程度の穴を開け、穴の中の直径方向に、適当な長さの錆びにい針金を差し込み渡した後、粘土で差し込み口を塞ぎ成型し、この針金にストップを通すことが出来るようにする。
【発明の効果】
【０００５】  オカリナ側面から突出した金属等が無くても、ストラップを通す事が出来るので、初級者から上級者まで、幅広い層向けのより良いデザインのオカリナを提供することが出来る
【図面の簡単な説明】
【０００６】
【図１】オカリナの斜視図
【図２】図１の方向から見た図
【図３】図２のＡ−Ａ線の断面図
【図４】図３のＡ−Ａ線の断面図
【符号の説明】１：トーンホール
２：トーンホール
３ａ・３ｂ：トーンホール
４ａ・４ｂ：トーンホール
５：トーンホール
６：トーンホール
７：トーンホール
８：トーンホール
９：トーンホール
１０：トーンホール
１１：ウインドウェイ
１２：歌口
１３：ストラップ用穴
１４：錆びにくい針金
【図１】
2013161075.tif 000003
【図２】
2013161075.tif 000004
【図３】
2013161075.tif 000005
【図４】
2013161075.tif 000006
(57)【要約】      （修正有）【課題】自助、共助、公助の判断、行動などに計り、より安全、効率、迅速な避難行動及び救援活動を目指す情報記載ゼッケンを提供する。【解決手段】郵便番号１、郵便番号記載都道府県地名２、都道府県番号３、氏名４、年齢、住所６、電話７、避難・捜索地点８、帰宅ルート９、注意事項、など種々の情報が記載されたゼッケン（上着、雨具、シート、帽子、傘、バルーンなどの多重使用も可）を着用するものであり、帰宅困難者、又は捜索家族などがゼッンを着用、行動するもので、家族単位、職場単位、地域単位などでゼッケンに事前の合意、約束事などの記載をなし、個々人が自分のゼッケの作成、備蓄を為す、複数枚を作成し、情報の共有を計る、なお、必要に応じて個人情報の目隠しを計る事も必要でもある。【選択図】図１
2013161079.tif 000002
【特許請求の範囲】
【請求項１】
郵便番号、郵便番号記載都道府県地名、都道府県番号、
氏名、年齢、住所、電話番号、
避難・捜索地点、帰宅ルート・注意事項、
などが記載されているゼッケン、
上着、雨具、シート、帽子、傘、バルーン、
などの着用による災害被災者の救援方法
【発明の詳細な説明】
【技術分野】
【０００１】本発明は大災害に於ける被災者の救援方法に関する
【背景技術】
【０００２】大規模な災害により大量の被災者が生まれた時、大都会などでは、多種多様、多方面の帰宅困難者が混在をなす、現実がある
【先行技術】
【０００３】然るに帰宅困難者同士に於いても、帰宅方向、個々人事情、多様性の内容、などが判別できず、自助、共助、公助、の救難行動、救援計画、などが計り難い現状がある
【発明の概要】
【発明が解決しようとする課題】
【０００４】多種多様な被災者どうしの、帰宅方向、地域、氏名、個々人事情、その他、の事柄がお互いに全く判らない状態にある、これを、本発明の情報記載ゼッケンの相互認識により、自助、共助、公助の判断、行動などに計り、より安全、効率、迅速な避難行動及び救援活動を目指すものである
【課題を解決するための手段】
【０００５】郵便番号、郵便番号記載都道府県地名、都道府県番号、氏名、年齢、住所、電話、避難・捜索地点、帰宅ルート、注意事項、など種々の情報が記載されたゼッケン（上着、雨具、シート、帽子、傘、バルーンなどの多重使用も可）を着用するものであり、帰宅困難者、又は捜索家族などがゼッンを着用、行動するもので、家族単位、職場単位、地域単位などでゼッケンに事前の合意、約束事などの記載をなし、個々人が自分のゼッケの作成、備蓄を為す、複数枚を作成し、情報の共有を計る、なお、必要に応じて個人情報の目隠しを計る事も必要でもあり、尚、全国統一のゼッケンの形式が理想でもある
【発明の効果】
【０００６】さすれば、ゼッケンの情報により被災者の自助、共助、も容易に促進され、又、公助の救援者に於いても情報判別、対応の効率化が可能になり、個々人の実情に応じた救援策に迅速に取り組めるものである
【図面の簡単な説明】
【０００７】
【図１】本発明のゼッケンの例
【発明を実施するための形態】
【０００８】ゼッケンに郵便番号、郵便番号記載都道府県地名、都道府県識別番号、氏名、年齢、住所、電話番号、避難・捜索地点、帰宅ルート、注意事項、などの事前合意事項を記載させる事により、不測の事態、長期間の経過、などに於いても忘備録の対応、役目を果たし得る
【符号の説明】
【０００９】１・・郵便番号    ２・・郵便番号記載都道府県地名    ３・・都道府県識別番号
４‥氏名    ５  年齢    ６・・住所    ７・・電話    ８・・避難・捜索地点
９・・帰宅ルート    １０・・注意事項
【図１】
2013161079.tif 000003
(57)【要約】【課題】  鼻当て部分にアルミ材を、左右の蔓の先端の折れ曲り部分の内側に銅材を取り付けることによって、眼鏡を掛けた際、アルミ材と銅材の間に電位差が生じ、この電位差によって目の疲れや肩の凝り、頭重、首の疲れ等の解消に役立つ眼鏡を提供する。【解決手段】  通常使用されている眼鏡の鼻当ての表面にアルミ材１を取り付け、蔓の端部の耳掛部の内側に銅材２を取り付けたことを特徴とする。【選択図】図１
2013161078.tif 000002
【特許請求の範囲】
【請求項１】
ブリッジと前枠を介して左右に設けられたレンズを保持した縁と、左右の縁の外側に蝶番を介して取り付けられた蔓と、ブリッジの下方の左右の縁に連結杆を介して鼻当てを設けた眼鏡において、鼻当ての表面にアルミ材を取り付け、蔓の端部の耳掛部の内側に銅材を取り付けたことを特徴とする疲労防止機構の眼鏡。
【発明の詳細な説明】
【技術分野】
【０００１】  本発明は、眼鏡の鼻当て部分にアルミ材を取り付け、左右の蔓の先端部の内側に銅材を取り付けることによって、眼鏡をかけた際、アルミ材と銅材の間の電位差によって目の疲れや肩の凝り、頭重、首の疲れ等を未然に防止する眼鏡に関するものである。
【背景技術】
【０００２】  従来、眼鏡をかけることによって起る目の疲れや肩凝り等を防ぐ手段は殆ど施されておらず、目薬を注入したり、冷やしたタオルを当てたりすることによって目の疲れを取り除いたり、指圧やマッサージを施すことによって肩の凝りや首の疲れや痛みを取り除いていた。
【先行技術文献】
【０００３】
【特許文献１】
【発明の概要】
【発明が解決しようとする課題】
【０００４】  しかし、前期背景技術のような手段によって目の疲れや肩凝り、頭痛等を解消するには器具を使って自分の手で行うか、他人の手を借りなければならないばかりでなく、目の疲れや肩凝り、頭痛、頭重、首の疲れ等を未然に防ぐものではなく、症状が発生してから眼鏡を取り外した後に行う手段であった。
本発明は眼鏡の鼻当て部分の鼻の当る面（表面）にアルミ材を取り付け、眼鏡の蔓の端部の耳掛け部の内側に銅材を取り付けることによって、眼鏡を掛けた時に、アルミ材と銅材の間に電位差が生じ、この電位差によって目の疲れ、頭重、頭痛、肩凝り等の症状を防止、解消させることができる疲労防止機構の眼鏡を提供することを目的とする。
【課題を解決するための手段】
【０００５】  上記課題を解決するため本発明は、ブリッジと前枠を介して左右に設けられたレンズを保持した縁と、左右の縁の外側に蝶番を介して取り付けられた蔓と、ブリッジの下方の左右の縁に連結杆を介して鼻当てを設けた眼鏡において、鼻当ての表面にアルミ材を取り付け、蔓の端部の耳掛部の内側に銅材を取り付けたものである。
【発明の効果】
【０００６】  上記のように構成された本発明の疲労防止機構の眼鏡には次のような効果がある。
眼鏡を掛けた状態で読書やその他の作業を続けても目の疲れ、肩凝り、頭痛等の症状は起らない。
又、鼻当てに設けたアルミ材と耳掛部に設けた銅材の間に生じる電位差によって目の疲れや肩凝り、頭痛等が起らないだけでなく、前記症状が起った場合、本発明の眼鏡を掛けることによって症状は次第に回復する。
本発明は電位差を応用しているので、着用した場合、体に感じる不快感、不快音、痛み等は無いので安心して使用できる。
アルミ材、銅材は眼鏡の一部に取り付けられ、眼鏡の品質を損ねたり、外観美を損ねることはない。
【図面の簡単な説明】
【０００７】
【図１】本発明の斜視図
【図２】鼻当ての拡大断面図
【図３】耳掛部の拡大断面図
【図４】本発明の使用状態を示した図
【発明を実施するための形態】
【０００８】  以下、本発明の実施の形態を図面に基いて説明する。
図１は本発明の斜視図、図２は鼻当ての拡大断面図、図３は銅材の取り付け状態を示した図で、図４は本発明の使用状態を示した図である。
図中の符号１は鼻当て７の表面（鼻に当接する面）に取り付けられた薄いアルミ板で、鼻当て７と同様に形成されている。
２は蔓４、４ａの耳掛部９、９ａの内側に取り付けられた銅材で、耳掛部の太さに合わせて取り付けられている薄い銅板である。
３はブリッジ５を介して左右に設けられたレンズを保持した縁６、６ａと一体に構成されている前枠で、合成樹脂又は軽金属等の材料で製造されているのが一般的であるが、近年、蝶番１１を介して直接レンズ１０に蔓４、４ａを取り付けた眼鏡が提供されている。
蔓４、４ａは蝶番１１、１１ａを介して縁６、６ａの両側部に一端が連結され、他端は先端部分が下方へ湾曲状に折り曲げられ、折り曲げる角度は眼鏡によって異なるが少なくとも眼鏡を掛けた際、耳に掛け止められる程度に折り曲げられている。
５はブリッジで、左右のレンズを保持している縁６、６ａを連結していて、前枠３と共に眼鏡のフレームの強度を保っている。
６、６ａはレンズの形状に合わせた溝付きの金属枠で、溝にレンズ１０の周縁部を嵌め込むようにして取り付けたもので、レンズを保護するようになっている。
７，７ａはブリッジ５の下方の縁６，６ａに取り付けられた鼻当てで、この鼻当て７，７ａの表面（鼻に当接する面）に鼻当てと同形の薄板状のアルミ材が取り付けられている。
アルミ材は必ずしも鼻当て７，７ａと同形状のものでなくてもよく、アルミ材２の面の一部が鼻に当接していれば目の疲れ、肩凝り、頭痛等の症状を取り除く効果に変わりはない。
８は鼻当て７，７ａと縁６の間に介在させた連結杆で、眼鏡を掛けた際、掛け具合を調節できるようになっている。
９は耳掛部で、蔓４，４ａの先端付近を下方へ折り曲げた部分で、眼鏡を着用した際、耳に係止されるように適度に折り曲げられている。
１０はレンズで、レンズ１０には遠視用、近視用、乱視用等、各種提供されているが、何れも長時間着用していると、目の疲れは勿論、肩凝り、頭痛等の症状が現れるといわれている。
そこで前記のように構成された本発明を着用すると次のようになる。
眼鏡の着用については従来と変りはないが、目の疲れや肩凝り、頭痛等の症状の現れることが少なく、たとえ現れても軽い症状で、長時間続くことはない。
又、アルミ材、銅材は眼鏡の一部に邪魔にならないように取り付けてあるので、眼鏡の品質を損ねたり、外観美を損ねることはなく、特殊の材料を使用していないので、安価で大量に提供できる。
【符号の説明】
【０００９】１      アルミ材
２      銅材
３      前枠
４      蔓
４ａ    蔓
５      ブリッジ
６      縁
６ａ    縁
７      鼻当て
７ａ    鼻当て
８      連結杆
８ａ    連結杆
９      耳掛部
９ａ    耳掛部
１０    レンズ
１０ａ  レンズ
【図１】
2013161078.tif 000003
【図２】
2013161078.tif 000004
【図３】
2013161078.tif 000005
【図４】
2013161078.tif 000006
(57)【要約】      （修正有）【課題】筆記具本体は加工せず、筆記具本体に取り付けて、筆記具（毛筆等）のスムーズな運筆上達を実現できる運筆練習補助具を提供する。【解決手段】運筆練習補助具には、上部受け皿とバランス球を設けて、上部受け皿の一方の面には凹面（くぼみ）を、他方の面に凸面（突起）を形成するとともに、バランス球を落下防止の紐で接続する。バランス球の下部には受皿の凸面部に合うようくぼみをつけ、凹面と凸面どちらにでもバランス球が乗せられるよう上部受皿を回転可能とする。また、運筆練習補助具の下部には、バランス棒を取り付けられる下部留め具を取り外し可能に設ける。【選択図】図１
2013161077.tif 000002
【特許請求の範囲】
【請求項１】
毛筆等毛先の反対側上部に取り付け、本発明上部の凹部が形成されている受皿に後部落下防止の紐でつながれてる球体を乗せ、その球体を落とさぬよう運筆のバランスを図ることを特徴とする運筆練習補助具。
【請求項２】
さらに、上記凹部の受皿は、任意で凸部に変えることができ、落下防止の紐でつながれている球体底部の穴にはめ込むことで、より一層難しい運筆のバランスを図ることを特徴とする運筆練習補助具。
【請求項３】
また、落下防止の紐でつながれた球体は、上部受皿を使用しなくても、筆記具に取付けただけで、振り子としての傾斜を示す事が出来る為、長時間使用してもストレスを感じることなく運筆のバランスを図ることを特徴とする運筆練習補助具。
【請求項４】
補助具本体の下部留め具は、取り外し可能となっており、下部留め具側面の穴に、付属の引っ掛け棒（バランス棒）を取付けることにより、下部留め具単体でも筆記具のバランスを図ることが出来る。補助具を使用しても、筆記具本体をスムーズにまた滑らかに運筆のバランスを図ることを特徴とする運筆練習補助具。
【発明の詳細な説明】
【技術分野】
【０００１】本発明は、筆記具（毛筆等）のスムーズな運筆を解決するために、筆記具本体は加工せず、筆記具本体に取り付けて、個人のレベルに合わせ毛筆の運筆上達を容易に実現出来るよう可能にした補助具である。
【背景技術】
【０００２】習字をする際、毛筆は立てて書くのが基本であるが、なかなか出来ないのが現状である。また、その基礎を知らない人が多いのも事実。
【先行技術文献】
【特許文献】
【０００３】
【特許文献１】特明６５３０
【特許文献２】実開昭６１−０９４８６９
【特許文献３】実開平０７−０１９７５６
【発明の概要】
【発明が解決しようとする課題】
【０００４】現在、日本の教育は、小学校低学年で硬筆をならい、小学校高学年で毛筆習字（とめ、はね、はらい）を習う。習字の授業時間が削減されるなか、毛筆の基礎である、筆を立てて使う事を習得出来ない子供たちが多い。一般的に学校の授業や習字教室、また多くの書物等では、懸腕直筆を支持しており、鉛筆で筆記することに慣れている児童の場合、なかなか懸腕直筆が出来ない。
【課題を解決するための手段】
【０００５】筆記具（毛筆等）の毛先の反対側の上部に取り付け、受皿の凹凸部分にバランス球を乗せた状態で、球を落とさないように運筆する。運筆中、球の落ちるのを気にしないでいいように、ぶら下げた状態でも使用出来、筆記具が斜めにならないよう自ら容易に確認出来るようにした。また、下部留め具もバランス棒を取り付ければ、単体でも簡易的な補助具として使用できるように考案してある。
【発明の効果】
【０００６】本発明を使用する事によって、毛筆を立てて書く事が癖付けられ、習字の上達が早くなる。また、遊び感覚で楽しみながら運筆方法を学べ、自然と懸腕直筆の効果が得られ、悪筆解消の効果も同時に得られる。
【図面の簡単な説明】
【０００７】
【図１】本発明の（ａ）右斜視図と（ｂ）バランス球を乗せた状態
【図２】本発明の右側面図
【図３】本発明の上部受皿の（ｃ）凹面図と（ｄ）凸面図と（ｅ）バランス球の底部
【図４】本発明の分解図
【図５】本発明の下部留め具の上視図
【図６】本発明全体の取り付け図
【図７】本発明の下部留め具の取り付け図
【発明を実施するための形態】
【０００８】小学校、中学校等、習字の授業などで、筆記具（毛筆等）に取り付け、運筆のバランスを身につけさせるため、習字道具に携帯させることが好ましい。本発明にかかる運筆練習補助具の材料は、安定した装着を実現できるものであれば特に限定されるものではない。具合的には、ゴムやプラスチック類等の弾性力を備えた材料であるものが好ましい。
【実施例】
【０００９】練習補助具を毛筆等に取り付け、バランス球を受け皿の凹凸面に乗せ、出来るだけ落とさないように字を書く。運筆中バランス球が落ちるのを気にしなくてもいいよう、垂らした状態でも使用できる。この事により緊張しないで運筆の練習が出来、効果が得られる。また、下部留め具だけでも簡易的な運筆補助具として単体で使用出来、装着したまま筆記具の手入れ等出来るようにしてある。
【産業上の利用可能性】
【００１０】本発明は、筆記具等の事務用品に関わる産業のみならず、運筆練習補助具をゴムやプラスチック類等により、成形加工する樹脂成形加工産業に利用することが出来、さらには、ＰＣの外部入力装置等に応用することが可能であるため、各種電子機器に関わる産業にも利用することが可能となる。また、本発明は筆記具本体を加工しないため、比較的安価に装着（購入）出来る。
【図１】
2013161077.tif 000003
【図２】
2013161077.tif 000004
【図３】
2013161077.tif 000005
【図４】
2013161077.tif 000006
【図５】
2013161077.tif 000007
【図６】
2013161077.tif 000008
【図７】
2013161077.tif 000009
(57)【要約】【課題】不動産物件所有者は、不動産管理業者と不動産管理契約を締結した物件に対し、物件の状況や、空室における反響など様々な状況報告を期待している。しかし、現状では、不動産業者からの状況報告や反響報告と言った、きわめて重要な報告を把握できていない事が稀である。【解決手段】本システムは、インターネットのプログラムを利用することで、不動産管理業者はネットワークを介して接続可能な端末を使って、物件の状況写真と共に不動産物件所有者へ報告が可能になり、不動産物件所有者は、物件状況の報告を時系列で確認することができる。また、不動産物件所有者は、物件の状況報告の請求、及び不動産管理に対する問題を相談することが可能になる。【選択図】図１
2013161474.tif 000002
【特許請求の範囲】
【請求項１】
不動産物件所有者との不動産管理契約を締結している物件状況、管理状況、及び空室反響に関するすべての報告情報を、ネットワークを介して接続可能な端末で記録し閲覧できるシステム。
【請求項２】
請求項２に記載する管理物件に関するすべての報告情報と共に、相互連絡、及び相談事項を時系列にしたがって閲覧できるシステム。
【発明の詳細な説明】
【技術分野】
【０００１】本システムは不動産物件所有者と不動産管理業者が、不動産管理契約を締結している不動産物件の管理状況、状況報告、及び反響状況に関するすべての状況情報を、ネットワークを介して接続可能な端末を使って、記録し閲覧できるシステムに関するものである。
【背景技術】
【０００２】不動産物件の管理状況や、反響報告において、従来では、インターネットを介したメールや電話での報告がなされている。しかし、インターネットを介したメールや電話では、状況報告の連絡の不備が起こりやすい。【０００３】電話でのやり取りなどを行う場合、すべてを記録するといったことや、いつ連絡を行ったなどの、厳密な詳細の記録が難しい。
【発明の概要】
【発明が解決しようとする課題】
【０００４】不動産物件の管理状況等の報告は、従来、インターネットを介したメールや電話で行われていることが多い。しかし、一定の記録を行っていないため、不動産管理業者と不動産物件所有者の間で、行き違いが生じる問題がある。また、従来のようにインターネットを介したメールや電話でのやり取りを行うことで、連絡事項をいつどのように行ったか、相互間での行き違いが生じる問題がある。【０００５】不動産物件所有者が、不動産管理業者に管理物件に対する状況の問い合わせや相談を行った際の問い合わせの詳細に対して、不動産管理業者が明確に回答することが求められる。しかし、従来のインターネットを介したメールや電話での問い合わせをする場合では、そのやり取りに行き違いが生じる問題がある。
【課題を解決するための手段】
【０００６】先に記した０００４や０００５のような行き違いが生じる問題を解決するには、状況報告、管理物件に対する状況の問い合わせ、及び相談を行った際の問い合わせの詳細を時系列に並べ、いつでも記録し閲覧できる環境を整えることが必要と考える。
【発明の効果】
【０００７】本システムを利用することで、不動産管理業者は、管理物件の状況報告を不動産物件所有者に対して明確に報告することができる。また、不動産物件所有者は、自分の所有する物件の状況を時系列にしたがって確認できる。また、本システムを利用することで、不動産管理業者は、物件の問い合わせに対し、時系列に従って対処することができ、不動産物件所有者は、所有する物件に対する問い合わせをいつでも記録し閲覧できる。
【図面の簡単な説明】
【０００８】
【図１】本発明の実施の形態に係る不動産管理状況報告システムの概略の構成を示す図
【図２】本システムにアクセスするために表示されるシステムエントランスを示す図
【図３】ログイン後に表示される個人ページを示す図
【図４】管理不動産物件別に表示される管理物件ページを示す図
【発明を実施するための形態】
【０００９】図１は、本システムの実施するための形態による概略をしている図である。まずは、図２のログインページより、不動産物件所有者と不動産管理業者は、事前に登録しておいた、個人を区別するためのログインメールアドレス２０２とパスワード２０３を入力フォームに書き込みログインボタン２０４をクリックする。ログインメールアドレス２０２とパスワード２０３をデータベースにある個人を判別するためのデータと照合し、適切と判断されると、図３の各個人のページが表示される。各個人ページにある、最新情報の物件名３０２のテキストリンクをクリックすると、図４の物件の管理状況報告ページが表示される。物件の管理状況報告ページでは、不動産物件の管理状況、状況報告、及び反響状況に関するすべての状況情報を時系列に並べ、いつでも記録し閲覧できる。
【実施例】
【００１０】本システムを実施するために、図２のシステムエントランスページよりログインをした後、各個人ページより、物件の詳細ページへのテキストリンクより管理物件ページを表示する。管理物件ページにある書き込みを行うためのフォーム欄４０５より、テキストフォーム４０５−１に書き込みを行う。また、画像を添付する場合は、画像参照フォーム４０５−２より行うことができる。その後、書き込み送信ボタン４０５−３をクリックして書き込みが完了する。書き込みは時系列にしたがって、閲覧することができる（４０２、４０３若しくは４０４）。
【符号の説明】
【００１１】１０１  ログインページ  システムエントランス図２
１０２  不動産物件所有者個別ページ図３
１０３  不動産管理業者ページ
１０４  管理物件ページ図４
１０５  ログアウトページ
２０１  システムエントランス  ログインページの詳細
２０２  システムログインのための登録メールアドレス入力フォーム
２０３  システムログインのための登録パスワード入力フォーム
２０４  ログインボタン
３０１  不動産物件所有者の個人ページの詳細
３０２  不動産物件所有者の所有する物件の管理物件ページへのテキストリンク
４０１  不動産物件所有者の所有する物件の管理物件ページの詳細
４０２  不動産業者の物件状況報告書き込みＮＯ．１
４０２−１  不動産業者の物件状況報告書き込みに添付して表示する画像
４０３  不動産業者の物件状況報告書き込みＮＯ．２
４０４  不動産物件所有者の書き込み
４０５  書き込みを行うためのフォーム欄
４０５−１  書き込みを行うためのテキストフォーム
４０５−２  画像を添付するための画像参照フォーム
４０５−３  書き込みを送信するための送信ボタン
【図１】
2013161474.tif 000003
【図２】
2013161474.tif 000004
【図３】
2013161474.tif 000005
【図４】
2013161474.tif 000006